(57)【要約】【課題】製品据付位置周辺の障害物の制約を受け難い換気扇を得ること。【解決手段】羽根車と、羽根車を回転駆動する電動機と、室内外を連通させる導管に室内側から挿入される筒状であり、拡径方向に張出すフランジを室内側開口部の外周に備え、電動機を筒内で支持する本体フレームと、フランジの室内側に着脱自在に設置されるシャッター枠１８と、シャッター枠に支持され本体フレームの室内側開口部を開閉するシャッターブレード１７とを有する換気扇であって、フランジは、シャッター枠１８の装着時に、シャッター枠１８を室内側開口部と直交する方向にスライドさせて取り付け位置に案内する複数の引掛け部９ａを備え、シャッター枠１８は、取り付け位置に設置した状態において、引掛け部９ａよりも取り付け時のスライド方向の先端１８ｍ側となる部分に、引掛け部９ａよりも幅広の切欠き１８ｋを備える。【選択図】図２４
2017223432.tif 000002
【特許請求の範囲】
【請求項１】
羽根車と、
前記羽根車を回転駆動する電動機と、
室内外を連通させる導管に室内側から挿入される筒状であり、拡径方向に張出すフランジを室内側開口部の外周に備え、前記電動機を筒内で支持する本体フレームと、
前記フランジの室内側に着脱自在に設置されるシャッター枠と、
前記シャッター枠に支持され前記本体フレームの前記室内側開口部を開閉するシャッターブレードとを有する換気扇であって、
前記フランジは、前記シャッター枠の装着時に、前記シャッター枠を前記室内側開口部と直交する方向にスライドさせて取り付け位置に案内する複数の引掛け部を備え、
前記シャッター枠は、前記取り付け位置に設置した状態において、前記引掛け部よりも取り付け時のスライド方向の先端側となる部分に、前記引掛け部よりも幅広の切欠きを備えることを特徴とする換気扇。
【請求項２】
前記フランジは、上下方向の２箇所に前記引掛け部を備え、
前記シャッター枠は、前記切欠きを上部及び下部に備えることを特徴とする請求項１に記載の換気扇。
【請求項３】
前記引掛け部は、前記シャッター枠の着脱時に横方向に前記シャッター枠のスライドを案内することを特徴とする請求項１又は２に記載の換気扇。
【発明の詳細な説明】
【技術分野】
【０００１】
本発明は、換気口を開閉するシャッターを備える換気扇に関する。
【背景技術】
【０００２】
換気口を開閉するシャッターを備える換気扇は、パイプ又はダクトといった室内外を連通させ空気の通路となる導管に室内側から挿入して装着する円筒状の風洞を有し、軸流ファンを有する電動機を設けた本体フレームを風洞内に備えている。本体フレームには、平面部を有し拡径方向に張出するフランジが風洞の室内側開口部の外周に連設されている。また、本体フレームには、フランジの端縁部の背面に、端面が室内側の壁面に当接する立上り部が突設されており、これらフランジと立上り部とによって前面構造部が構成されている。そして、前面構造部のフランジには、爪嵌合により化粧グリルが取付けられている。
【０００３】
このようなものにおいて、換気扇の運転、停止に合わせて開閉するシャッターを備えているものがある。シャッターは、換気扇停止時に外風が室内に流入することを防ぐものであり、前面構造部のフランジに取付け、取外しできる構造となっていることが一般的である。また、シャッターはソレノイドの吸引力及びばねの弾性力により開閉する構造となっていることが一般的である（例えば、特許文献１参照）。
【０００４】
また、シャッターを換気扇の前面構造部のフランジに着脱できるようにしたものにあっては、シャッターを製品本体から取外して清掃することができる。シャッター及び本体フランジは、風漏れ防止を考慮した構造となっているため、運転停止時のシャッターが閉じている状態でも外風流入を低減でき、屋外の空気が室内に流入することでの不快感及び冷暖房機器の負荷を軽減できる効果が期待できる（例えば、特許文献２参照）。
【先行技術文献】
【特許文献】
【０００５】
【特許文献１】特開２００６−３４３０４９号公報（要約、図１、図２）
【特許文献２】特開２０１５−１５８３３２号公報（要約、図１７、図１８、図２１、図２２）
【発明の概要】
【発明が解決しようとする課題】
【０００６】
シャッターを本体フランジから取外すには、シャッター枠を本体フランジ上に設けられた複数の引掛け部から外れる位置までスライドさせ、取り外す必要がある。特許文献１に開示される発明では、製品は、製品本体を据付けた状態で、本体右側面から壁といった障害物まで、シャッター枠のスライド量以上離す必要があるため、シャッター枠のスライド量を確保できない位置に据付けた場合は、シャッターを本体フランジから取外せなくなる懸念がある。
【０００７】
また、シャッターを製品に取付ける際は上記の取外し方法とは逆の手順となるため、シャッター枠のスライド量が大きいほど、製品の組立及び清掃後の取付けがやりにくくなる懸念がある。
【０００８】
本発明は、前記のような課題を解決するためになされたもので、シャッターの着脱に関して製品据付位置周辺の障害物の制約を受け難い換気扇を得ることを目的とする。
【課題を解決するための手段】
【０００９】
上述した課題を解決し、目的を達成するために、本発明は、羽根車と、羽根車を回転駆動する電動機と、室内外を連通させる導管に室内側から挿入される筒状であり、拡径方向に張出すフランジを室内側開口部の外周に備え、電動機を筒内で支持する本体フレームと、フランジの室内側に着脱自在に設置されるシャッター枠と、シャッター枠に支持され本体フレームの室内側開口部を開閉するシャッターブレードとを有する換気扇であって、フランジは、シャッター枠の装着時に、シャッター枠を室内側開口部と直交する方向にスライドさせて取り付け位置に案内する複数の引掛け部を備える。シャッター枠は、取り付け位置に設置した状態において、引掛け部よりも取り付け時のスライド方向の先端側となる部分に、引掛け部よりも幅広の切欠きを備える。
【発明の効果】
【００１０】
本発明によれば、シャッターの着脱に関して製品据付位置周辺の障害物の制約を受け難い換気扇を得られるという効果を奏する。
【図面の簡単な説明】
【００１１】
【図１】本発明の実施の形態に係る換気扇の側面視の断面図
【図２】本発明の実施の形態に係る換気扇の正面図
【図３】本発明の実施の形態に係る換気扇の背面図
【図４】本発明の実施の形態に係る換気扇のシャッターを示す背面図
【図５】本発明の実施の形態に係る換気扇のシャッターブレードを示す正面図
【図６】本発明の実施の形態に係る換気扇のシャッター枠の斜視図
【図７】図６のＡ部の拡大図
【図８】本発明の実施の形態に係る換気扇のシャッター枠の斜視図
【図９】図８のＢ部の拡大図
【図１０】本発明の実施の形態に係る換気扇の可動ロッドの可動軸挿入部を示す側面図
【図１１】本発明の実施の形態に係る換気扇のばね引掛け部及びばね収納部を示す図４のＸＩ−ＸＩ線断面図
【図１２】本発明の実施の形態に係る換気扇のシャッターの可動ロッドとばねを分解した状態を示す斜視図
【図１３】本発明の実施の形態に係る換気扇の本体のシャッター枠を取り外した状態での斜視図
【図１４】本発明の実施の形態に係る換気扇のシャッター枠の正面図
【図１５】本発明の実施の形態に係る換気扇の本体の斜視図
【図１６】本発明の実施の形態に係る換気扇のシャッター枠の斜視図
【図１７】本発明の実施の形態に係る換気扇の本体とシャッター枠とを組み付けた状態での風漏れ防止段差構造部の部分での断面図
【図１８】本発明の実施の形態に係る換気扇のシャッターのスライド取付け状態を示す斜視図
【図１９】本発明の実施の形態に係る換気扇の図１８中のＦ部を拡大して示す斜視図
【図２０】本発明の実施の形態に係る換気扇の図１８中のＦ部を拡大して示す正面図
【図２１】本発明の実施の形態に係る換気扇の図１８中のＥ部を拡大して示す斜視図
【図２２】本発明の実施の形態に係る換気扇のシャッターブレードばたつき防止構造を示す斜視図
【図２３】本発明の実施の形態に係る換気扇の可動ロッド軸穴の傾斜形状を示す斜視図
【図２４】本発明の実施の形態にかかる換気扇の化粧グリルを取外した状態の斜視図
【図２５】本発明の実施の形態にかかる換気扇の本体からシャッターを取外す方向にスライドさせた状態を示す化粧グリルを取外した斜視図
【図２６】本発明の実施の形態にかかる換気扇の本体の引掛け部からシャッター上部の切欠き部の固定を外した状態を示す斜視図
【発明を実施するための形態】
【００１２】
以下に、本発明の実施の形態に係る換気扇を図面に基づいて詳細に説明する。なお、この実施の形態によりこの発明が限定されるものではない。
【００１３】
実施の形態．
図１は、本発明の実施の形態に係る換気扇の側面視の断面図である。図２は、本発明の実施の形態に係る換気扇の正面図である。図３は、本発明の実施の形態に係る換気扇の背面図である。本発明の実施の形態に係る換気扇は、図１に示すように、室内外を連通させ空気の通路となる導管、例えばパイプ１又はダクトに室内側から挿入して装着される。本発明の実施の形態に係る換気扇は、本体６が、パイプ１又はダクトに挿入する円筒状の風洞２を有する樹脂製の本体フレーム３を備えている。本体フレーム３には、プロペラ式の羽根車４と、電動機５とで構成される軸流ファンである送風機２４が組付けられている。また、本発明の実施の形態に係る換気扇は、化粧グリル７と、シャッター１６と、シャッター１６を開くためのソレノイド２１とを備えている。
【００１４】
本体フレーム３は、図１に示すように、風洞２の前部の吸込口となるベルマウス形状の開口部８の口縁部に前面構造部２６が一体に形成されている。前面構造部２６は、平面部を有し拡径方向に張出す正方形又は丸形のフランジ９と、フランジ９の端縁に形成されて背面側へ突出しかつ室内側の壁面に端面が当接する立上り部１０とを備えている。また、フランジ９の背面には、回転式構造で容易に外部電源電線と接続可能な端子台２３を備えている。送風機２４は、本体フレーム３の風洞２の室外側に設けられたモーター取付構造部２５に取付けられている。
【００１５】
モーター取付構造部２５は、図１及び図３に示すように、円周方向に間隔をおいて風洞２の中心線方向に沿って後方に延出する四本の脚部１１と、各脚部１１の端部から半径方向内側にそれぞれ延びる橋絡部１２と、これら橋絡部１２によって風洞２の中心部に支持されたモーターカバー１３とを備えている。四本の脚部１１は、いずれも風洞２の外周より内側にある。四本の脚部１１のうちの一本の外側には、半径方向への拡開弾力により本体６を導管となるパイプ１内又はダクト内に弾性保持する反り付きの板ばね１４が装着されている。電動機５は、モーター取付構造部２５に外殻のフランジ部をねじ締めされており、回転軸１５がモーターカバー１３の先から風洞２の中心線上に突き出すようになっている。そして、電動機５の風洞２内の中心線上に延出する回転軸１５に、羽根車４が風洞２内に配置された状態で装着されている。
【００１６】
化粧グリル７は、図１及び図２に示すように、本体フレーム３の前面構造部２６であるフランジ９及び立上り部１０を被覆できる内側構造を有しており、本体６と爪嵌合により取付けられる。
【００１７】
図４は、本発明の実施の形態に係る換気扇のシャッターを示す背面図である。シャッター１６は、図４に示すように、複数のシャッターブレード１７と、シャッター枠１８と、可動ロッド１９と、ばね２０とを備えている。
【００１８】
図５は、本発明の実施の形態に係る換気扇のシャッターブレードを示す正面図である。シャッターブレード１７は、いずれも同様の形状を有しており、図５に示すように、長方形であり、それぞれの長手両端には、シャッター枠１８に取付ける軸１７ａ，１７ｂが設けられている。また、シャッターブレード１７は、それぞれの片側に、可動ロッド１９の動きと連動させるための可動軸１７ｃが設けられている。
【００１９】
図６は、本発明の実施の形態に係る換気扇のシャッター枠の斜視図である。図６は、シャッター枠１８を右斜め後方から見た状態を示している。図７は、図６のＡ部の拡大図である。図８は、本発明の実施の形態に係る換気扇のシャッター枠の斜視図である。図８は、シャッター枠１８を左斜め後方から見た状態を示している。図９は、図８のＢ部の拡大図である。シャッター枠１８は、図６、図７、図８及び図９に示すように、箱形状でありシャッターブレード１７の軸１７ａ，１７ｂを挿入するシャッター枠軸穴１８ａ，１８ｂを有し、ばね２０を引掛ける爪１８ｃとフランジ９へ取付けるための引掛け部１８ｄとを有する。シャッター枠軸穴１８ｂの背面側は開放されており、背面側からシャッターブレード１７の軸１７ａ，１７ｂを押し付けることで、挿入取付けが可能である。但し、一度シャッターブレード１７の軸１７ａ，１７ｂを挿入した後に容易に抜けることがないように括れ部１８ｆを設けている。また、シャッター枠軸穴１８ａ間、及びシャッター枠軸穴１８ｂ間は、先端をＲ形状とした軸穴間リブ１８ｈとなっている。これによって、シャッターブレード１７の軸１７ａ，１７ｂが軸間に引掛かることがなく、シャッター枠軸穴１８ａ，１８ｂへの挿入性を良くしている。
【００２０】
図１０は、本発明の実施の形態に係る換気扇の可動ロッドの可動軸挿入部を示す側面図である。可動ロッド１９は、図１０に示すように、ソレノイド２１とシャッターブレード１７の中継部品であり、シャッターブレード１７の可動軸１７ｃを挿入する可動ロッド軸穴１９ａとばね２０を引掛ける爪１９ｂを有する。
【００２１】
図１１は、本発明の実施の形態に係る換気扇のばね引掛け部及びばね収納部を示す図４のＸＩ−ＸＩ線断面図である。図１２は、本発明の実施の形態に係る換気扇のシャッターの可動ロッドとばねを分解した状態を示す斜視図である。ばね２０は、図４、図１１及び図１２に示すように、渦巻状のばねであり、両端には爪のような引掛け部へ引掛ける輪形部２０ａを有する。
【００２２】
シャッターブレード１７の軸１７ａは、シャッター枠軸穴１８ａに挿入される。シャッターブレード１７の軸１７ｂは、シャッター枠軸穴１８ｂに挿入される。シャッターブレード１７の可動軸１７ｃは、可動ロッド軸穴１９ａに挿入される。
【００２３】
ばね２０は、図１１に示すように、両端の輪形部２０ａが、シャッター枠１８側の引掛け部である爪１８ｃと可動ロッド１９側の引掛け部である爪１９ｂとに引掛けられ、組立てられている。可動ロッド１９は、シャッター枠１８に収納される。したがって、シャッター１６を本体フレーム３のフランジ９へ取付けたときに、可動ロッド１９は露出しないようになっている。また、ばね２０は可動ロッド１９のばね収納部１９ｃに収納される。すなわち、ばね２０は、シャッター枠１８と可動ロッド１９とに覆われ、露出していないため、シャッター１６の清掃性を悪化させることなく、清掃時のばね２０への接触、及びばね２０への外部からの埃付着を抑制することができる。
【００２４】
図１３は、本発明の実施の形態に係る換気扇の本体のシャッター枠を取り外した状態での斜視図である。図１４は、本発明の実施の形態に係る換気扇のシャッター枠の正面図である。シャッター１６は、図１３及び図１４に示すように、本体フレーム３のフランジ９の前面に設けた３箇所の引掛け部９ａにシャッター枠１８の引掛け部１８ｄを引掛けることで取付けられる。すなわち、シャッター枠１８を取り付け位置に配置した状態において、フランジ９の引掛け部９ａは、シャッター枠１８の引掛け部１８ｄと係合する。引掛け部１８ｄは、シャッター枠１８の上下及び取り付け時のスライド方向の先端側の３箇所に設けられている。３箇所の引掛け部９ａのうち、上下２箇所の引掛け部９ａは、シャッター１６を本体フレーム１の室内側の開口部と直交する方向である横方向にスライドさせて案内するガイドとしても機能する。すなわち、上下２箇所の引掛け部９ａは、シャッター枠１８の装着時に、本体フレーム１の室内側開口部と直交する方向にシャッター枠１８をスライドさせて取り付け位置に案内する。
【００２５】
ソレノイド２１は、図１３に示すように、通電により可動鉄心と、可動鉄心の先端に取付けている可動鉄心先端ピン２２とが一方向に動く。可動鉄心先端ピン２２は本体フレーム３のフランジ９より突出した大きさとなっている。
【００２６】
シャッター１６は、製品の運転開始と同時に通電されるソレノイド２１の吸引力により可動鉄心先端ピン２２が可動ロッド押し部１９ｅを押し、可動ロッド１９を図１３の矢印Ｈ方向にスライド移動させることで、シャッターブレード１７が軸１７ａ，１７ｂを中心に可動ロッド収納側である背面側に回転し、開く構造となっている。このとき、ばね２０も引張られ、伸びた状態で維持される。運転停止時は、ソレノイド２１に通電されなくなるので、吸引力がなくなり、伸びた状態で維持されていたばね２０の復帰力によって可動ロッド１９が開時と逆に図１３の矢印Ｇ方向にスライド移動する。これによって、シャッターブレード１７が軸１７ａ，１７ｂを中心に閉じる方向に回転し、シャッター１６が閉じられる構造となっている。
【００２７】
図１５は、本発明の実施の形態に係る換気扇の本体の斜視図である。図１５中のＣ部は、風漏れ防止段差構造部である。図１６は、本発明の実施の形態に係る換気扇のシャッター枠の斜視図である。図１６中のＤ部は、風漏れ防止段差構造部である。図１７は、本発明の実施の形態に係る換気扇の本体とシャッター枠とを組み付けた状態での風漏れ防止段差構造部の部分での断面図である。フランジ９には、図１５及び図１７に示すように、フランジ９には、シャッター１６が進入するスライド入口側の端部に、シャッター１６との隙間からの風漏れを抑制する段差構造９ｂを設けている。また、シャッター枠１８にも、図１６及び図１７に示すように、進入方向の後端部に、段差構造９ｂに当接できる段差構造１８ｊを設けている。これによって、屋外の空気の室内への流入を抑制でき、外風流入による不快感の改善、及び冷暖房機器の負荷を軽減でき、省エネルギー化を図ることができる。
【００２８】
図１８は、本発明の実施の形態に係る換気扇のシャッターのスライド取付け状態を示す斜視図である。図１８中のＥ部は、シャッター枠１８側の風漏れ防止部であり、図１８中のＦ部はフランジ９側の風漏れ防止部である。図１９は、本発明の実施の形態に係る換気扇の図１８中のＦ部を拡大して示す斜視図である。図２０は、本発明の実施の形態に係る換気扇の図１８中のＦ部を拡大して示す正面図である。図２１は、本発明の実施の形態に係る換気扇の図１８中のＥ部を拡大して示す斜視図である。シャッター１６は、図１８に示すように、横方向にスライドさせて取付ける構造となっているため、シャッター枠１８におけるスライド方向の先端側となる側面位置に可動鉄心先端ピン２２を避けるための逃がし穴１８ｅを設けている。一方、本体フレーム３側からみてフランジ９におけるシャッター１６がスライドしてくるスライド終端側の端部位置、つまりフランジ９の可動鉄心先端ピン２２を挟んで逃がし穴１８ｅと対向する位置には、シャッター１６を設置したときに逃がし穴１８ｅからの風漏れを抑制する風漏れ防止リブ９ｃをフランジ９に設けている。
【００２９】
風漏れ防止リブ９ｃは、図１９、図２０及び図２１に示すように、Ｙ字形状に形成され、風漏れ防止リブ９ｃのウエブ部９ｄは、逃がし穴１８ｅに潜れるように逃がし穴１８ｅよりも低い高さに設定されている。また、逃がし穴１８ｅの周りには、図１９及び図２１に示すように、フランジ９の風漏れ防止リブ９ｃと接触して風漏れを抑制するリブ１８ｉが設けられている。風漏れ防止リブ９ｃとリブ１８ｉの接触面は互いに傾斜形状となっている。これによって、屋外の空気の室内への流入をさらに抑制でき、外風流入による不快感の改善、及び冷暖房機器の負荷を軽減でき、省エネルギーを図ることができる。
【００３０】
前記の通り、シャッター１６は、シャッターブレード１７の軸１７ａ，１７ｂを中心に回転して開く構造のため、シャッターブレード１７の軸１７ａ，１７ｂとシャッター枠軸穴１８ａ，１８ｂとの間は、若干のクリアランスを設ける必要がある。そのため、シャッターブレード１７の軸１７ａ，１７ｂがシャッター枠軸穴１８ａ，１８ｂ内で僅かに動く構造となる。
【００３１】
図２２は、本発明の実施の形態に係る換気扇のシャッターブレードばたつき防止構造を示す斜視図である。図２３は、本発明の実施の形態に係る換気扇の可動ロッド軸穴の傾斜形状を示す斜視図である。本実施の形態の換気扇では、シャッターブレード１７の軸１７ａ，１７ｂは、直径φ２±０．１［ｍｍ］である。また、シャッター枠軸穴１８ａ，１８ｂは、直径φ２．３±０．１［ｍｍ］である。よって、シャッターブレード１７は、屋外からの風によりばたついて騒音が発生する場合がある。そこで、シャッター１６の開時に、図２２に示すように、シャッターブレード１７の可動軸１７ｃを、シャッター枠１８の軸挟み込み部１８ｇと可動ロッド軸穴１９ａの軸挟み込み部１９ｄとで挟み込み、シャッターブレード１７のばたつきを抑制している。
【００３２】
また、可動ロッド１９の軸挟み込み部１９ｄは、図２３に示すように、シャッター開時にシャッターブレード１７の可動軸１７ｃと接する部分の一部を平坦面１９ｆとし、可動ロッド軸穴１９ａと可動軸１７ｃとの間の隙間が小さくなるようにした。これによって、可動ロッド１９の軸挟み込み部１９ｄは、シャッターブレード１７の可動軸１７ｃを部品の精度によらず確実に挟み込むことができる。
【００３３】
図２４は、本発明の実施の形態に係る換気扇の化粧グリルを外した状態の斜視図である。本実施の形態の換気扇では、シャッター枠１８の上部の引掛け部１８ｄに切り欠き１８ｋが設けられている。切欠き１８ｋの位置は、シャッター枠１８の上部の引掛け部１８ｄと本体フランジ９に設けられた引掛け部９ａとの嵌合部から、シャッター１６をフランジ９から取外すためのスライド方向とは逆方向となる位置である。切欠き１８ｋの大きさは、引掛け部９ａよりも幅が大きく、換気扇停止時の室内への外風流入量に影響がない大きさである。すなわち、シャッター枠１８は、取り付け位置に設置した状態において、引掛け部９ａよりも取り付け時のスライド方向の先端１８ｍ側となる部分に、引掛け部９ａよりも幅広の切欠き１８ｋを備えている。
【００３４】
図２５は、本発明の実施の形態に係る換気扇の本体からシャッターを取外す方向にスライドさせた状態を示す化粧グリルを取外した斜視図である。図２６は、本発明の実施の形態にかかる換気扇の本体の引掛け部からシャッター上部の切欠き部の固定を外した状態を示す斜視図である。シャッター１６をフランジ９から取外す際、シャッター１６を、図２４に示す位置から図２５に示す位置まで、図２４中の矢印Ｉ方向に距離Ｌスライドさせると、シャッター枠１８の上部に設けた切欠き１８ｋが、引掛け部９ａに位置する。すなわち、シャッター１６を取り外し方向に距離Ｌスライドさせると、シャッター枠１８の上部に設けた切欠き１８ｋが、引掛け部９ａに重なる。これにより、図２６に示すように、シャッター枠１８はフランジ９に設けられた引掛け部９ａから外れ、本体６からシャッター１６を取外すことができる。
【００３５】
シャッター１６をフランジ９から取外す際、フランジ９からシャッター１６を矢印Ｉ方向に、距離Ｒだけ突出させる必要がある。この時、距離Ｒは、シャッター１６のスライド量である距離Ｌと等しい。もし、切欠き１８ｋが存在しない場合には、シャッター１６を取り外すためには、シャッター枠１８の取り付け時のスライド方向の先端１８ｍが引掛け部９ａを抜けるまでシャッター枠１８を矢印Ｉ方向にスライドさせる必要があり、フランジ９からのシャッター１６の突出量は距離Ｌ’に等しくなる。図２５からも明らかなように、切欠き１８ｋを備えたシャッター枠１８を取り外すためのスライド量Ｌは、切り欠き１８ｋを備えないシャッター枠１８を取り外すためのスライド量Ｌ’よりも小さい。したがって、シャッター枠１８の上部に切欠き１８ｋを設けることで、切欠き１８ｋを備えないシャッター枠１８を用いた換気扇よりも短いスライド量でシャッター１６を取外すことが可能となる。
【００３６】
また、シャッター１６をフランジ９に取付ける際は、上記の取り付け手順とは逆の手順となるため、切欠き１８ｋを設けることで、切欠き１８ｋを設けない構造よりも短いスライド量でシャッター１６を本体６に取付けることができる。
【００３７】
その際、製品本体右側面から壁までは、距離Ｒだけ離して製品を据付ける必要があるが、切欠き１８ｋを設けることで距離Ｒも小さくなるため、壁などの障害物周辺にも製品を据え付けることが可能となる。
【００３８】
上記の説明においては、シャッター枠１８の上側の引掛け部１８ｄに切欠き１８ｋを設けているが、シャッター枠１８の下側の引掛け部１８ｄに引掛け部９ａよりも幅広の切欠き１８ｋを設けても良いし、上下両方の引掛け部１８ｄに引掛け部９ａよりも幅広の切欠き１８ｋを設けても良い。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１  パイプ、２  風洞、３  本体フレーム、４  羽根車、５  電動機、６  本体、７  化粧グリル、８  開口部、９  フランジ、９ａ，１８ｄ  引掛け部、９ｂ  段差構造、９ｃ  風漏れ防止リブ、９ｄ  ウエブ部、１０  立上り部、１１  脚部、１２  橋絡部、１３  モーターカバー、１４  板ばね、１５  回転軸、１６  シャッター、１７  シャッターブレード、１７ａ，１７ｂ  軸、１７ｃ  可動軸、１８  シャッター枠、１８ａ，１８ｂ  シャッター枠軸穴、１８ｃ，１９ｂ  爪、１８ｅ  逃がし穴、１８ｆ  括れ部、１８ｇ，１９ｄ  軸挟み込み部、１８ｈ  軸穴間リブ、１８ｉ  リブ、１８ｊ  段差構造、１８ｋ  切欠き、１８ｍ  先端、１９  可動ロッド、１９ａ  可動ロッド軸穴、１９ｃ  ばね収納部、１９ｅ  可動ロッド押し部、１９ｆ  平坦面、２０  ばね、２０ａ  輪形部、２１  ソレノイド、２２  可動鉄心先端ピン、２３  端子台。
【図１】
2017223432.tif 000003
【図２】
2017223432.tif 000004
【図３】
2017223432.tif 000005
【図４】
2017223432.tif 000006
【図５】
2017223432.tif 000007
【図６】
2017223432.tif 000008
【図７】
2017223432.tif 000009
【図８】
2017223432.tif 000010
【図９】
2017223432.tif 000011
【図１０】
2017223432.tif 000012
【図１１】
2017223432.tif 000013
【図１２】
2017223432.tif 000014
【図１３】
2017223432.tif 000015
【図１４】
2017223432.tif 000016
【図１５】
2017223432.tif 000017
【図１６】
2017223432.tif 000018
【図１７】
2017223432.tif 000019
【図１８】
2017223432.tif 000020
【図１９】
2017223432.tif 000021
【図２０】
2017223432.tif 000022
【図２１】
2017223432.tif 000023
【図２２】
2017223432.tif 000024
【図２３】
2017223432.tif 000025
【図２４】
2017223432.tif 000026
【図２５】
2017223432.tif 000027
【図２６】
2017223432.tif 000028